(57)【特許請求の範囲】
【請求項１】
電線に接続された端子を収容するハウジングと、このハウジングと前記電線との間に設けられ前記ハウジングの内部と外部とを区画する防水部材と、前記ハウジングに組付けられ前記防水部材の前記ハウジングからの脱落を防止するリヤホルダとを備えた防水コネクタであって、
前記リヤホルダは、前記電線を挟んで互いの合わせ面を合わせて合体し、前記合わせ面を合わせた状態で前記電線を収容する電線収容部を形成する２つの同一形状の合体部材からなり、
前記合体部材は、前記合わせ面を合わせた状態で対称形状となって係合し、互いの合体状態を保持する係合部が設けられ、
前記係合部は、前記合わせ面の中央部に設けられていることを特徴とする防水コネクタ。
【請求項２】
請求項１記載の防水コネクタであって、
前記係合部は、係合凹部と、この係合凹部に挿入される係合凸部とを有することを特徴とする防水コネクタ。
【請求項３】
請求項２記載の防水コネクタであって、
前記係合部は、前記電線の長さ方向から互いの前記合わせ面を合わせるように前記合体部材同士を近接させ、前記係合凸部が前記係合凹部に挿入されて係合されることを特徴とする防水コネクタ。
【発明の詳細な説明】
【技術分野】
【０００１】
本発明は、防水コネクタに関する。
【背景技術】
【０００２】
従来、防水コネクタとしては、電線に接続された端子を収容するハウジングと、このハウジングと電線との間に設けられハウジングの内部と外部とを区画する防水部材と、ハウジングに組付けられ防水部材のハウジングからの脱落を防止するリヤホルダとを備えたものが知られている（例えば、特許文献１参照）。
【０００３】
この防水コネクタでは、リヤホルダが第１ホルダ本体と第２ホルダ本体との２部材からなり、一方のホルダ本体にロック突起が形成され、他方のホルダ本体にロック突起が係合するロック凹部が形成されている。これらのロック突起とロック凹部とを係合することにより、第１ホルダ本体と第２ホルダ本体とが一体となってリヤホルダとして機能する。
【先行技術文献】
【特許文献】
【０００４】
【特許文献１】国際公開第２０１０／１１０２７８号
【発明の概要】
【発明が解決しようとする課題】
【０００５】
しかしながら、上記特許文献１のような防水コネクタでは、リヤホルダを構成する第１ホルダ本体と第２ホルダ本体とがそれぞれ異なるロック突起とロック凹部とを有するので、リヤホルダを構成するために２種類の部材が必要となり、部品点数や金型の増加による製造コストが増加していた。
【０００６】
そこで、この発明は、部品点数及び製造コストを低減することができる防水コネクタの提供を目的としている。
【課題を解決するための手段】
【０００７】
請求項１記載の発明は、  電線に接続された端子を収容するハウジングと、このハウジングと前記電線との間に設けられ前記ハウジングの内部と外部とを区画する防水部材と、前記ハウジングに組付けられ前記防水部材の前記ハウジングからの脱落を防止するリヤホルダとを備えた防水コネクタであって、前記リヤホルダは、前記電線を挟んで互いの合わせ面を合わせて合体し、前記合わせ面を合わせた状態で前記電線を収容する電線収容部を形成する２つの同一形状の合体部材からなり、前記合体部材は、前記合わせ面を合わせた状態で対称形状となって係合し、互いの合体状態を保持する係合部が設けられ、前記係合部は、前記合わせ面の中央部に設けられていることを特徴とする。
【０００８】
この防水コネクタでは、リヤホルダが２つの同一形状の合体部材からなるので、リヤホルダを構成する部材が１種類となり、部品点数や金型の削減によって製造コストを低減することができる。
【０００９】
また、合体部材は、合わせ面を合わせた状態で対称形状となって係合し、互いの合体状態を保持する係合部が設けられているので、１種類の合体部材であっても係合部によって互いの合体状態を保持することができ、電線の屈曲などによる防水部材への影響を抑制することができる。
【００１０】
従って、このような防水コネクタでは、リヤホルダを１種類の合体部材によって構成することができるので、部品点数及び製造コストを低減することができる。
また、この防水コネクタでは、係合部が合わせ面の中央部に設けられているので、合わせ面の両側に２箇所設けるなどのように係合部を複数箇所に設けることを必要とせず、１箇所の係合部によって合体部材同士の合体状態を保持することができる。
【００１１】
請求項２記載の発明は、請求項１記載の防水コネクタであって、前記係合部は、係合凹部と、この係合凹部に挿入される係合凸部とを有することを特徴とする。
【００１２】
この防水コネクタでは、係合部が係合凹部と、この係合凹部に挿入される係合凸部とを有するので、係合部が凹凸嵌合となり、電線の振れ回りなどのように多方向から掛かる外力によって係合部の係合が外れることを防止でき、合体部材同士の合体状態を確実に保持することができる。
【００１３】
請求項３記載の発明は、請求項２記載の防水コネクタであって、前記係合部は、前記電線の長さ方向から互いの前記合わせ面を合わせるように前記合体部材同士を近接させ、前記係合凸部が前記係合凹部に挿入されて係合されることを特徴とする。
【００１４】
この防水コネクタでは、係合部が電線の長さ方向から互いの合わせ面を合わせるように合体部材同士を近接させ、係合凸部が係合凹部に挿入されて係合されるので、一方の合体部材がハウジングに組付けられた状態であっても、他方の合体部材をハウジングに組付けることができ、組付性の自由度や各部材の調整の自由度を向上することができる。
【発明の効果】
【００１７】
本発明によれば、部品点数及び製造コストを低減することができる防水コネクタを提供することができるという効果を奏する。
【図面の簡単な説明】
【００１８】
【図１】本発明の実施の形態に係る防水コネクタの斜視図である。
【図２】本発明の実施の形態に係る防水コネクタの分解斜視図である。
【図３】本発明の実施の形態に係る防水コネクタのリヤホルダ側から見た正面図である。
【図４】本発明の実施の形態に係る防水コネクタのリヤホルダの斜視図である。
【発明を実施するための形態】
【００１９】
図１〜図４を用いて本発明の実施の形態に係る防水コネクタについて説明する。
【００２０】
本実施の形態に係る防水コネクタ１は、電線３に接続された端子５を収容するハウジング７と、このハウジング７と電線３との間に設けられハウジング７の内部と外部とを区画する防水部材９と、ハウジング７に組付けられ防水部材９のハウジング７からの脱落を防止するリヤホルダ１１とを備えている。
【００２１】
そして、リヤホルダ１１は、電線３を挟んで互いの合わせ面１３，１３を合わせて合体し、合わせ面１３，１３を合わせた状態で電線３を収容する電線収容部１５を形成する２つの同一形状の合体部材１７，１７からなり、合体部材１７は、合わせ面１３，１３を合わせた状態で対称形状となって係合し、互いの合体状態を保持する係合部１９が設けられている。
【００２２】
また、係合部１９は、係合凹部２１と、この係合凹部２１に挿入される係合凸部２３とを有する。
【００２３】
さらに、係合部１９は、電線３の長さ方向から互いの合わせ面１３，１３を合わせるように合体部材１７，１７同士を近接させ、係合凸部２３が係合凹部２１に挿入されて係合される。
【００２４】
また、係合部１９は、合わせ面１３の中央部に設けられている。
【００２５】
図１〜図４に示すように、防水コネクタ１は、電線３に接続された端子５と、ハウジング７と、パッキン２５と、フロントホルダ２７と、シェル２９と、シールドリング３１と、防水部材９と、リヤホルダ１１とから構成されている。
【００２６】
端子５は、負荷などに接続された複数（ここでは２本）の各電線３の端部に圧着などによって電気的に接続された端子金具からなり、筐体（不図示）に収容された強電回路に接続される。この端子５は、ハウジング７内に収容される。
【００２７】
ハウジング７は、絶縁性樹脂からなり、筒状に形成され、内部に端子５を収容する端子収容部３３と、この端子収容部３３と連通され電線３が導出される電線導出部３５とを備えている。このハウジング７は、端子収容部３３側が筐体に嵌合され、端子５と強電回路とが接続される。このようなハウジング７の端子収容部３３の外周には、パッキン２５が組付けられる。
【００２８】
パッキン２５は、ゴムなどの弾性材料からなり、ハウジング７の端子収容部３３の外周に密着して組付けられる。このパッキン２５は、ハウジング７が筐体と嵌合した状態で、ハウジング７と筐体との間をシールしてハウジング７の内部と外部及び筐体の内部と外部とを区画する。このようなパッキン２５が組付けられるハウジング７の端子収容部３３の開口には、フロントホルダ２７が組付けられる。
【００２９】
フロントホルダ２７は、絶縁性樹脂からなり、蓋状に形成され、ハウジング７の端子収容部３３の開口を閉塞するように端子５の接続部を挿通して組付けられる。このフロントホルダ２７は、ランスなどによって端子５を係止し、端子５のハウジング７からの抜けを防止する。このようなフロントホルダ２７が組付けられるハウジング７の電線導出部３５側には、シェル２９が組付けられる。
【００３０】
シェル２９は、ノイズなどの侵入や漏洩を防止するシールド部材からなり、ハウジング７の電線導出部３５側からハウジング７の外周に組付けられる。このシェル２９は、編組線（不図示）と共にシールドリング３１によって加締められる。
【００３１】
シールドリング３１は、導電性材料からなり、シェル２９の外周に配置され、編組線とシェル２９とを加締め、シールド回路を形成する。このシールドリング３１が組付けられるハウジング７の電線導出部３５の内部には、防水部材９が配置される。
【００３２】
防水部材９は、ゴム栓からなり、内周が電線３の外周に密着された状態で、ハウジング７の電線導出部３５の内部に配置される。この防水部材９は、外周がハウジング７の電線導出部３５の内周面に密着されてハウジング７と電線３との間をシールしてハウジング７の内部と外部とを区画する。このような防水部材９は、ハウジング７の電線導出部３５の開口に組付けられるリヤホルダ１１によってハウジング７からの脱落が防止される。
【００３３】
リヤホルダ１１は、絶縁性樹脂からなり、半楕円状に形成された１種類の合体部材１７を２つ、電線３を挟んで互いの合わせ面１３，１３を合わせて合体させることによって構成される。この合体部材１７には、半円状の溝部が形成され、２つの合体部材１７，１７を合体させることにより、電線３が収容される電線収容部１５が形成される。なお、電線収容部１５の内径は、電線３の外径より小さく設定され、電線３の屈曲によるリヤホルダ１１の電線導出部３５内部でのガタつきが抑制されている。このような合体部材１７には、係合部１９が設けられている。
【００３４】
係合部１９は、電線収容部１５，１５間である合わせ面１３の中央部に設けられ、係合凹部２１と、係合凸部２３とを備えている。係合凹部２１は、Ｌ字状の溝部からなり、相手側の合体部材１７の係合凸部２３が挿入される。係合凸部２３は、合わせ面１３から突設された係合凹部２１とは逆向きＬ字状の突部からなる。
【００３５】
このように係合凹部２１と係合凸部２３とを対称形状とすることにより、合体部材１７，１７が合わせ面１３，１３を合わせて合体している状態では、一方の合体部材１７の係合凹部２１と他方の合体部材１７の係合凸部２３とが係合し、他方の合体部材１７の係合凹部２１と一方の合体部材１７の係合凸部２３とが係合する。この係合部１９の係合により、合体部材１７，１７が合わせ面１３から離れる方向の移動や合わせ面１３に沿って移動することを防止でき、合体部材１７，１７の合体状態を保持することができる。
【００３６】
このような係合部１９は、電線３の長さ方向から互いの合わせ面１３，１３を合わせるように合体部材１７，１７同士を近接させることにより、係合凸部２３が係合凹部２１に挿入されて係合される。このため、例えば、一方の合体部材１７のみがハウジング７の電線導出部３５の開口に組付けられている場合であっても、他方の合体部材１７をハウジング７の電線導出部３５の開口に組付けることにより、係合部１９を係合させることができる。このような２つの同一形状の合体部材１７，１７からなるリヤホルダ１１は、ロック部３７によってハウジング７への組付状態が保持される。
【００３７】
ロック部３７は、合体部材１７に形成されたロック凹部３９と、ハウジング７に形成されたロック凸部４１とからなる。ロック凹部３９は、合体部材１７の外周面に撓み可能に設けられ、合体部材１７がハウジング７に組付けられた状態で、ロック凸部４１に係止される。ロック凸部４１は、ハウジング７の外周面に突設され、合体部材１７をハウジング７の電線導出部３５に挿入したときにロック凹部３９を撓ませ、合体部材１７がハウジング７に組付けられたときにロック凹部３９を係止する。
【００３８】
このロック部３７の係止により、リヤホルダ１１のハウジング７への組付状態が保持され、リヤホルダ１１がハウジング７から脱落することがなく、リヤホルダ１１によって防水部材９のハウジング７からの脱落を確実に防止することができる。
【００３９】
このような防水コネクタ１では、リヤホルダ１１が２つの同一形状の合体部材１７，１７からなるので、リヤホルダ１１を構成する部材が１種類となり、部品点数や金型の削減によって製造コストを低減することができる。
【００４０】
また、合体部材１７は、合わせ面１３，１３を合わせた状態で対称形状となって係合し、互いの合体状態を保持する係合部１９が設けられているので、１種類の合体部材１７であっても係合部１９によって互いの合体状態を保持することができ、電線３の屈曲などによる防水部材９への影響を抑制することができる。
【００４１】
従って、このような防水コネクタ１では、リヤホルダ１１を１種類の合体部材１７によって構成することができるので、部品点数及び製造コストを低減することができる。
【００４２】
また、係合部１９は、係合凹部２１と、この係合凹部２１に挿入される係合凸部２３とを有するので、係合部１９が凹凸嵌合となり、電線３の振れ回りなどのように多方向から掛かる外力によって係合部１９の係合が外れることを防止でき、合体部材１７，１７同士の合体状態を確実に保持することができる。
【００４３】
さらに、係合部１９は、電線３の長さ方向から互いの合わせ面１３，１３を合わせるように合体部材１７，１７同士を近接させ、係合凸部２３が係合凹部２１に挿入されて係合されるので、一方の合体部材１７がハウジング７に組付けられた状態であっても、他方の合体部材１７をハウジング７に組付けることができ、組付性の自由度や各部材の調整の自由度を向上することができる。
【００４４】
また、係合部１９は、合わせ面１３の中央部に設けられているので、合わせ面１３の両側に２箇所設けるなどのように係合部１９を複数箇所に設けることを必要とせず、１箇所の係合部１９によって合体部材１７，１７同士の合体状態を保持することができる。
【００４５】
なお、本発明の実施の形態に係る防水コネクタでは、係合部が合わせ面の中央部の１箇所に設けられているが、これに限らず、例えば、合わせ面の一側に係合凸部を設け、合わせ面の他側に係合凹部を設けるなど、合体部材同士を合わせ面で合わせて合体させた状態で、対称形状となる係合部であればどのような形態であってもよい。
【００４６】
また、係合部は、係合凸部と、係合凹部との係合となっているが、これに限らず、例えば、突起部と、この突起部が圧入される穴部との係合など、合体部材同士の合体状態を保持できる構造であればどのような構造であってもよい。
【符号の説明】
【００４７】
１…防水コネクタ
３…電線
５…端子
７…ハウジング
９…防水部材
１１…リヤホルダ
１３…合わせ面
１５…電線収容部
１７…合体部材
１９…係合部
２１…係合凹部
２３…係合凸部
【図１】
0005863179.tif 000002
【図２】
0005863179.tif 000003
【図３】
0005863179.tif 000004
【図４】
0005863179.tif 000005